(57)【要約】可変サブフレーム長をサポートするためのＯＦＤＭシンボルのプリフィックス処理。本開示は、直交周波数分割多重（ＯＦＤＭ）のために構成された第一無線ノード（３００）であって、受信機（３１０）と、送信機（３２０）と、プロセッサ（３３０）と、前記送信機（３２０）に、第一動作モードにおいて第一サブキャリア間隔ｆ１で、プリフィックス処理されたＯＦＤＭシンボルのシーケンスを送信させ、第二動作モードにおいて第二サブキャリア間隔ｆ２で、プリフィックス処理されたＯＦＤＭシンボルのシーケンスを送信させる、前記プロセッサ（３３０）によって実行可能なインストラクションを記憶するメモリ（３４０）とを有し、前記第一および第二動作モードの両方に対して共通に、前記送信されるＯＦＤＭシンボルのシーケンスは予め定義された繰り返し無線フレーム、または、前記予め定義された繰り返し無線フレームの整数倍と整合しており、前記第一および第二サブキャリア間隔は、ｐ≠１の整数を用いて、無単位の整数係数ｆ１／ｆ２＝ｐまたはｆ１／ｆ２＝１／ｐによって関連付けられている、第一無線ノードに関連する。
2019522918.tif 000002
【特許請求の範囲】
【請求項１】
直交周波数分割多重（ＯＦＤＭ）のために構成された第一無線ノード（３００）であって、受信機（３１０）と、送信機（３２０）と、プロセッサ（３３０）と、前記送信機（３２０）に、
第一動作モードにおいて第一サブキャリア間隔ｆ１で、プリフィックス処理されたＯＦＤＭシンボルのシーケンスを送信させ、
第二動作モードにおいて第二サブキャリア間隔ｆ２で、プリフィックス処理されたＯＦＤＭシンボルのシーケンスを送信させる、
前記プロセッサ（３３０）によって実行可能なインストラクションを記憶するメモリ（３４０）とを有し、
前記第一および第二動作モードの両方に対して共通に、前記送信されるＯＦＤＭシンボルのシーケンスは予め定義された繰り返し無線フレーム、または、前記予め定義された繰り返し無線フレームの整数倍と整合しており、
前記第一および第二サブキャリア間隔は、ｐ≠１の整数を用いて、無単位の整数係数ｆ１／ｆ２＝ｐまたはｆ１／ｆ２＝１／ｐによって関連付けられている、第一無線ノード。
【請求項２】
請求項１に記載の第一無線ノード（３００）であって、予め定義された繰り返し無線フレームのそれぞれは、１ｍｓの長さを有し、および／または、ニューレディオ（ＮＲ）のサブフレームである、第一無線ノード。
【請求項３】
請求項１または２に記載の第一無線ノード（３００）であって、前記第一動作モードにおいて送信される一つのプリフィックス処理されたＯＦＤＭシンボルのトータル期間は、前記第二動作モードにおいて送信される整数個のプリフィックス処理されたＯＦＤＭシンボルのトータル期間と等しい、第一無線ノード。
【請求項４】
請求項１ないし３のいずれか一項に記載の第一無線ノード（３００）であって、前記第一動作モードにおいて送信される一つのプリフィックス処理されたＯＦＤＭシンボルのトータル期間は、前記第二動作モードにおいて送信される整数個の対応するプリフィックス処理されたＯＦＤＭシンボルのトータル期間と等しい、第一無線ノード。
【請求項５】
請求項３または４に記載の第一無線ノード（３００）であって、ｆ１／ｆ２＝１／ｐであり、前記整数個はｐである、第一無線ノード。
【請求項６】
請求項３ないし５のいずれか一項に記載の第一無線ノード（３００）であって、前記第二動作モードにおいて少なくとも二つの連続したプリフィックス処理されたシンボルは等しくない期間のプリフィックスを有している、第一無線ノード。
【請求項７】
請求項３ないし６のいずれか一項に記載の第一無線ノード（３００）であって、前記第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している、第一無線ノード。
【請求項８】
請求項３ないし７のいずれか一項に記載の第一無線ノード（３００）であって、前記第一動作モードにおいて送信される一つのプリフィックス処理されていないＯＦＤＭシンボルの期間は一定であり、前記第二動作モードにおいて送信されるプリフィックス処理されていないＯＦＤＭシンボルの期間も一定である、第一無線ノード。
【請求項９】
請求項３ないし７のいずれか一項に記載の第一無線ノード（３００）であって、前記第一動作モードにおいて送信される前記一つのプリフィックス処理されたＯＦＤＭシンボルの始まりと終わりとは、前記予め定義された繰り返し無線フレーム、または、前記予め定義された繰り返し無線フレームの整数倍に関して、前記第二動作モードにおいて送信される整数個のプリフィックス処理されたＯＦＤＭシンボルのシーケンスの始まりと終わりとに整合している、第一無線ノード。
【請求項１０】
請求項３ないし７のいずれか一項に記載の第一無線ノード（３００）であって、前記第一動作モードにおいて送信される前記一つのプリフィックス処理されたＯＦＤＭシンボルの始まりと終わりは、前記第二動作モードにおいて送信される整数個のプリフィックス処理されたＯＦＤＭシンボルのシーケンスの始まりと終わりとに整合している、第一無線ノード。
【請求項１１】
請求項１ないし１０のいずれか一項に記載の第一無線ノード（３００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（３４０）は、さらに、前記予め定義された繰り返し無線フレームに関して、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもってＯＦＤＭシンボルを前記送信機（３２０）にプリフィックス処理させる、前記プロセッサ（３３０）によって実行可能なインストラクションを記憶している、第一無線ノード。
【請求項１２】
請求項１ないし１０のいずれか一項に記載の第一無線ノード（３００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（３４０）は、さらに、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもってＯＦＤＭシンボルを前記送信機（３２０）にプリフィックス処理させる、前記プロセッサ（３３０）によって実行可能なインストラクションを記憶している、第一無線ノード。
【請求項１３】
請求項１２に記載の第一無線ノード（３００）であって、境界の整合処理は、少なくとも、前記予め定義された繰り返し無線フレームが繰り返すたびに、発生する、第一無線ノード。
【請求項１４】
請求項１ないし１０のいずれか一項に記載の第一無線ノード（３００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（３４０）は、さらに、前記第一動作モードにおいて送信される第一整数個Ｎ１のプリフィックス処理されたＯＦＤＭシンボルのトータル期間と、前記第二動作モードにおいて送信される第二整数個Ｎ２のプリフィックス処理されたＯＦＤＭシンボルのトータル期間とを等しくさせるような長さのプリフィックスを前記送信機（３２０）に割り当てさせる、前記プロセッサ（３３０）によって実行可能なインストラクションを記憶している、第一無線ノード。
【請求項１５】
請求項１４に記載の第一無線ノード（３００）であって、前記第一整数個Ｎ１は１であり、前記第二整数個Ｎ２は１よりも大きい、第一無線ノード。
【請求項１６】
請求項１ないし１５のいずれか一項に記載の第一無線ノード（３００）であって、前記予め定義された繰り返し無線フレームに関して、前記第一動作モードで送信されるシンボルのフレームで最初でない境界は、前記第二動作モードで送信されるシンボルのフレームで最初でない境界と整合している、第一無線ノード。
【請求項１７】
請求項１ないし１６のいずれか一項に記載の第一無線ノード（３００）であって、前記第一および第二サブキャリア間隔は、ｑ≠１の整数を用いた２の累乗、ｆ１／ｆ２＝２ｑまたはｆ１／ｆ２＝２−ｑによって関連している、第一無線ノード。
【請求項１８】
請求項１７に記載の第一無線ノード（３００）であって、さらに、第三サブキャリア間隔を用いる第三動作モードで操作可能であり、前記第一および第三サブキャリア間隔は、ｒ≠１の整数を用いた２の累乗、ｆ１／ｆ３＝ｒまたはｆ１／ｆ３＝２−ｒによって関連している、第一無線ノード。
【請求項１９】
請求項１ないし１８のいずれか一項に記載の第一無線ノード（３００）であって、前記第一サブキャリア間隔ｆ１または前記第二サブキャリア間隔ｆ２は、正規の３ＧＰＰ  ＬＴＥサブキャリア間隔である、第一無線ノード。
【請求項２０】
請求項１９に記載の第一無線ノード（３００）であって、前記第一サブキャリア間隔ｆ１または前記第二サブキャリア間隔ｆ２＝１５ｋＨｚである、第一無線ノード。
【請求項２１】
請求項２０に記載の第一無線ノード（３００）であって、
前記第一サブキャリア間隔ｆ１＝１５ｋＨｚであるときに、前記第二サブキャリア間隔ｆ２＜１５ｋＨｚである、または、
前記第二サブキャリア間隔ｆ２＝１５ｋＨｚであるときに、前記第一サブキャリア間隔ｆ１＜１５ｋＨｚである、第一無線ノード。
【請求項２２】
請求項１ないし２１のいずれか一項に記載の第一無線ノード（３００）であって、前記メモリ（３４０）は、さらに、同一の予め定義された繰り返し無線フレームにおいて、前記第一動作モードにおいて少なくとも一つのプリフィックス処理されたＯＦＤＭシンボルと、前記第二動作モードにおいて少なくとも二つのプリフィックス処理されたＯＦＤＭシンボルとを前記送信機（３２０）に送信させる、前記プロセッサ（３３０）によって実行可能なインストラクションを記憶している、第一無線ノード。
【請求項２３】
請求項１ないし２２のいずれか一項に記載の第一無線ノード（３００）であって、前記第一および第二サブキャリア間隔の比率ｆ１／ｆ２は、前記第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である、第一無線ノード。
【請求項２４】
請求項１ないし２３のいずれか一項に記載の第一無線ノード（３００）であって、前記第一無線ノードは無線デバイスである、第一無線ノード。
【請求項２５】
請求項１ないし２４のいずれか一項に記載の第一無線ノード（３００）であって、前記第一無線ノードはネットワークノードである、第一無線ノード。
【請求項２６】
直交周波数分割多重（ＯＦＤＭ）の第一無線ノードにおける方法（４００）であって、前記方法は、
第一動作モードにおいて第一サブキャリア間隔ｆ１で、プリフィックス処理されたＯＦＤＭシンボルのシーケンスを送信すること（Ｓ４１０）と、
第二動作モードにおいて第二サブキャリア間隔ｆ２で、プリフィックス処理されたＯＦＤＭシンボルのシーケンスを送信すること（Ｓ４２０）と、
を有し、
前記第一および第二動作モードの両方に対して共通に、前記送信されるＯＦＤＭシンボルのシーケンスは予め定義された繰り返し無線フレーム、または、前記予め定義された繰り返し無線フレームの整数倍と整合しており、
前記第一および第二サブキャリア間隔は、ｐ≠１の整数を用いて、整数係数ｆ１／ｆ２＝ｐまたはｆ１／ｆ２＝１／ｐによって関連付けられている、方法。
【請求項２７】
請求項２６に記載の方法（４００）であって、さらに、前記第一および第二動作モードとを切り替えることを含む。
【請求項２８】
請求項２７に記載の方法（４００）であって、前記切り替えることは一つの無線フレーム内で実行される、方法。
【請求項２９】
直交周波数分割多重（ＯＦＤＭ）のために構成された第二無線ノード（５００）であって、受信機（５１０）と、送信機（５２０）と、プロセッサ（５３０）と、前記受信機（５１０）に、
第一動作モードにおいて第一サブキャリア間隔ｆ１で、第一無線ノードからプリフィックス処理されたＯＦＤＭシンボルのシーケンスを受信させ、
第二動作モードにおい第二サブキャリア間隔ｆ２で、第一無線ノードからプリフィックス処理されたＯＦＤＭシンボルのシーケンスを受信させる、前記プロセッサ（５３０）によって実行可能なインストラクションを記憶したメモリ（５４０）とを有し、
前記受信機（５１０）は、前記第一および第二動作モードの両方に対して共通に、予め定義された繰り返し無線フレーム、または、前記予め定義された繰り返し無線フレームの整数倍と公称上は整合しているものと仮定して前記受信されるＯＦＤＭシンボルのシーケンスを受信し、
前記第一および第二サブキャリア間隔は、ｐ≠１の整数を用いて、整数係数ｆ１／ｆ２＝ｐまたはｆ１／ｆ２＝１／ｐによって関連付けられている、第二無線ノード。
【請求項３０】
請求項２９に記載の第二無線ノード（５００）であって、予め定義された繰り返し無線フレームのそれぞれは、１ｍｓの長さを有し、および／または、ニューレディオ（ＮＲ）のサブフレームである、第二無線ノード。
【請求項３１】
請求項２９または３０に記載の第二無線ノード（５００）であって、前記第一動作モードにおいて送信される一つのプリフィックス処理されたＯＦＤＭシンボルのトータル期間は、前記第二動作モードにおいて送信される整数個のプリフィックス処理されたＯＦＤＭシンボルのトータル期間と等しい、第二無線ノード。
【請求項３２】
請求項２９ないし３１のいずれか一項に記載の第二無線ノード（５００）であって、前記第一動作モードにおいて送信される一つのプリフィックス処理されたＯＦＤＭシンボルのトータル期間は、前記第二動作モードにおいて送信される整数個の対応するプリフィックス処理されたＯＦＤＭシンボルのトータル期間と等しい、第二無線ノード。
【請求項３３】
請求項３１または３２に記載の第二無線ノード（５００）であって、ｆ１／ｆ２＝１／ｐであり、前記整数個はｐである、第二無線ノード。
【請求項３４】
請求項３１ないし３５のいずれか一項に記載の第二無線ノード（５００）であって、前記第二動作モードにおいて少なくとも二つの連続したシンボルは等しくない期間のプリフィックスを有している、第二無線ノード。
【請求項３５】
請求項３１ないし３４のいずれか一項に記載の第二無線ノード（５００）であって、前記第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している、第二無線ノード。
【請求項３６】
請求項３１ないし３５のいずれか一項に記載の第二無線ノード（５００）であって、前記第一動作モードにおいて送信される一つのプリフィックス処理されていないＯＦＤＭシンボルの期間は一定であり、前記第二動作モードにおいて送信されるプリフィックス処理されていないＯＦＤＭシンボルの期間も一定である、第二無線ノード。
【請求項３７】
請求項３１ないし３５のいずれか一項に記載の第二無線ノード（５００）であって、前記第一動作モードにおいて送信される前記一つのプリフィックス処理されたＯＦＤＭシンボルの始まりと終わりとは、前記予め定義された繰り返し無線フレーム、または、前記予め定義された繰り返し無線フレームの整数倍に関して、前記第二動作モードにおいて送信される整数個のプリフィックス処理されたＯＦＤＭシンボルのシーケンスの始まりと終わりとに整合している、第二無線ノード。
【請求項３８】
請求項３１ないし３５のいずれか一項に記載の第二無線ノード（５００）であって、前記第一動作モードにおいて送信される前記一つのプリフィックス処理されたＯＦＤＭシンボルの始まりと終わりは、前記第二動作モードにおいて送信される整数個のプリフィックス処理されたＯＦＤＭシンボルのシーケンスの始まりと終わりとに整合している、第二無線ノード。
【請求項３９】
請求項２９ないし３８のいずれか一項に記載の第二無線ノード（５００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（５４０）は、さらに、前記予め定義された繰り返し無線フレームに関して、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもって、前記受信されるＯＦＤＭシンボルが公称上はプリフィックス処理されているものとして、前記プロセッサ（５３０）によって実行可能なインストラクションを記憶している、第二無線ノード。
【請求項４０】
請求項２９ないし３８のいずれか一項に記載の第二無線ノード（５００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（５４０）は、さらに、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもって、前記受信されるＯＦＤＭシンボルが公称上はプリフィックス処理されているものとして、前記プロセッサ（５３０）によって実行可能なインストラクションを記憶している、第二無線ノード。
【請求項４１】
請求項４０に記載の第二無線ノード（５００）であって、境界の整合処理は、少なくとも、前記予め定義された繰り返し無線フレームが繰り返すたびに、発生する、第二無線ノード。
【請求項４２】
請求項２９ないし３８のいずれか一項に記載の第二無線ノード（５００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（５４０）は、さらに、前記受信されるＯＦＤＭシンボルが、前記第一動作モードにおいて送信される第一整数個Ｎ１のプリフィックス処理されたＯＦＤＭシンボルのトータル期間と前記第二動作モードにおいて送信される第二整数個Ｎ２のプリフィックス処理されたＯＦＤＭシンボルのトータル期間とを等しくさせるような長さのプリフィックスを公称上は割り当てられているものとして、前記プロセッサ（５３０）によって実行可能なインストラクションを記憶している、第二無線ノード。
【請求項４３】
請求項４２に記載の第二無線ノード（５００）であって、前記第一整数個Ｎ１は１であり、前記第二整数個Ｎ２は１よりも大きい、第一無線ノード。
【請求項４４】
請求項２９ないし４３のいずれか一項に記載の第二無線ノード（５００）であって、前記予め定義された繰り返し無線フレームに関して、前記第一動作モードで送信されるシンボルのフレームで最初でない境界は、前記第二動作モードで送信されるシンボルのフレームで最初でない境界と整合している、第二無線ノード。
【請求項４５】
請求項２９ないし４４のいずれか一項に記載の第二無線ノード（５００）であって、前記第一および第二サブキャリア間隔は、ｑ≠１の整数を用いた２の累乗、ｆ１／ｆ２＝２ｑまたはｆ１／ｆ２＝２−ｑによって関連している、第二無線ノード。
【請求項４６】
請求項２９ないし４５のいずれか一項に記載の第二無線ノード（５００）であって、前記第一サブキャリア間隔ｆ１または前記第二サブキャリア間隔ｆ２は、正規の３ＧＰＰ  ＬＴＥサブキャリア間隔である、第二無線ノード。
【請求項４７】
請求項４６に記載の第二無線ノード（５００）であって、前記第一サブキャリア間隔ｆ１または前記第二サブキャリア間隔ｆ２＝１５ｋＨｚである、第二無線ノード。
【請求項４８】
請求項４７に記載の第一無線ノード（５００）であって、
前記第一サブキャリア間隔ｆ１＝１５ｋＨｚであるときに、前記第二サブキャリア間隔ｆ２＜１５ｋＨｚである、または、
前記第二サブキャリア間隔ｆ２＝１５ｋＨｚであるときに、前記第一サブキャリア間隔ｆ１＜１５ｋＨｚである、第二無線ノード。
【請求項４９】
請求項２９ないし４８のいずれか一項に記載の第二無線ノード（５００）であって、前記メモリ（５４０）は、さらに、同一の無線フレームにおいて、前記第一動作モードにおいて少なくとも一つのＯＦＤＭシンボルと、前記第二動作モードにおいて少なくとも二つのＯＦＤＭシンボルとを前記受信機（５１０）に受信させる、前記プロセッサ（５３０）によって実行可能なインストラクションを記憶している、第二無線ノード。
【請求項５０】
請求項２９ないし４９のいずれか一項に記載の第二無線ノード（５００）であって、公称上、前記第一および第二サブキャリア間隔の比率ｆ１／ｆ２は、前記第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である、第二無線ノード。
【請求項５１】
請求項２９ないし５０のいずれか一項に記載の第二無線ノード（５００）であって、前記第二無線ノードは無線デバイスである、第二無線ノード。
【請求項５２】
請求項２９ないし５１のいずれか一項に記載の第二無線ノード（５００）であって、前記第二無線ノードはネットワークノードである、第二無線ノード。
【請求項５３】
直交周波数分割多重（ＯＦＤＭ）の第二無線ノードにおける方法（６００）であって、前記方法は、
第一動作モードにおいて第一サブキャリア間隔ｆ１で、第一無線ノードからプリフィックス処理されたＯＦＤＭシンボルのシーケンスを受信すること（Ｓ６１０）と、
第二動作モードにおいて第二サブキャリア間隔ｆ２で、第一無線ノードからプリフィックス処理されたＯＦＤＭシンボルのシーケンスを受信すること（Ｓ６２０）と、
を有し、
前記受信されるＯＦＤＭシンボルのシーケンスは、前記第一および第二動作モードの両方に対して共通に、予め定義された繰り返し無線フレーム、または、前記予め定義された繰り返し無線フレームの整数倍と公称上は整合しているものと仮定されており、
前記第一および第二サブキャリア間隔は、ｐ≠１の整数を用いて、整数係数ｆ１／ｆ２＝ｐまたはｆ１／ｆ２＝１／ｐによって関連付けられている、方法。
【請求項５４】
請求項５３に記載の方法（６００）であって、さらに、前記第一および第二動作モードとを切り替えることを含む、方法。
【請求項５５】
請求項５４に記載の方法（６００）であって、前記切り替えることは一つの無線フレーム内で実行される、方法。
【請求項５６】
プログラマブルプロセッサに請求項２６ないし２８または請求項５３ないし５５のいずれか一項に記載の方法を実行させるコンピュータ可読インストラクションを有したコンピュータプログラム（７１０）。
【請求項５７】
請求項５６に記載された前記コンピュータプログラム（７１０）を記憶したコンピュータ可読媒体を有するコンピュータプログラムプロダクト（７０８）。
【発明の詳細な説明】
【技術分野】
【０００１】
本開示は、一般に、無線通信の技術分野に関連し、とりわけ、可変サブフレーム長をサポートするＯＦＤＭシンボルのプリフィックス処理のための、無線ノード、方法、コンピュータプログラムおよびコンピュータプログラムプロダクトに関連する。
【背景技術】
【０００２】
もうすぐやってくる、第三世代パートナーシッププロジェクト（３ＧＰＰ）のニューレディオ（ＮＲ）無線アクセス技術は直交周波数分割多重（ＯＦＤＭ）をベースとしており、サブキャリアスペーシング（間隔）、サブフレーム（またはスロット）長などの観点において複数のニューメロロジーをサポートするだろう。基本的なサブキャリア間隔ｆ０と、Ｎ個のＯＦＤＭシンボルからなる対応するサブフレームデザインとが使用される。他のニューメロロジーは基本的なサブキャリア間隔Δｆをスケーリングすることによって達成される。たとえば、２Δｆのサブキャリア間隔を使用することによって、対応するＯＦＤＭシンボルは、Δｆを用いるオリジナルのケースの半分と同じ長さとなる。Ｎ個のＯＦＤＭシンボルからなるサブフレームの全体は、オリジナルのケースに対して、やはり半分となる。異なるニューメロロジーの可能性を持たせることは、遅延の観点について異なる要件を有した異なるサービスをサポートするために、有用であり、低遅延を必要とする、遅延に対してクリティカルなサービスは、高いサブキャリア間隔と短いサブフレーム期間とを使用できるようになる。
【０００３】
ロングタームエボリューション（ＬＴＥ）、とりわけ、ナローバンドインターネットオブシングス（ＮＢ−ＩｏＴ）との共存を許容するためには、ＬＴＥと同様のサブキャリア間隔ｆ０を使用することが有用であり、それゆえに３ＧＰＰはΔｆ＝１５ｋＨｚに合意した。さらに、ＬＴＥのスロット／サブフレームの構造は有用である。ＬＴＥにおいて、スロットは７個のＯＦＤＭシンボルからなり、ここで最初のＯＦＤＭシンボルは、他のものと比較してわずかに長いサイクリックプリフィックス（ＣＰ）を有している。より具体的には、ＬＴＥにおいて、サイクリックプリフィックスを含まないＯＦＤＭシンボルは２０４８Ｔｓ長であり、ここでＴｓは基本時間単位であり、Ｔｓ＝１／（２０４８×１５０００）秒である。最初のＯＦＤＭシンボルは、１６０Ｔｓのサイクリックプリフィックスを有しており、スロット内における残りの６個のＯＦＤＭシンボルは１４４Ｔｓのサイクリックプリフィックスを有している。このＯＦＤＭシンボルは図１において斜線により示されており、白のＯＦＤＭシンボルはわずかに短いサイクリックプリフィックスを有している。
【０００４】
一つの「長い」ＯＦＤＭシンボルを二つ（またはそれより多い）「短い」ＯＦＤＭシンボルと置換することを許容できるよう、異なるニューメロロジーにわたってシンボル境界が時間的に整合している場合は、有用であろう。これの一つの使用方法は異なるサービスの多重化であり、これは、たとえば、遅延にクリティカルなメッセージの送信のために、実行中の送信における一つの長いＯＦＤＭシンボルを二つ（またそれより多くの）短いシンボルに「置換する」ことによって実現される。Δｆをより高い値に移行するときに、これは素直な手法となろう。サブキャリア間隔ｆｉ（＝（ｉ＋１）×Δｆ）を有するニューメロロジー内の各ＯＦＤＭシンボルは、図１に示されているように、サブキャリア間隔ｆｉ＋１（＝（ｉ＋２）×Δｆ）を有する二つのシンボルに分割される。なお、結果として、０．５ｍｓのスロット内における３０ｋＨｚのニューメロロジーの最初の二つのシンボルが、シンボル境界の整合を維持するために、残りの１２個のシンボルよりも、長いサイクリックプリフィックスを有することになる。
【０００５】
たとえば、遅延にクリティカルでないマシンタイプ通信（ＭＴＣ）またはブロードキャストサービスのためには、１５ｋＨｚよりも低いサブキャリア間隔が必要とされることは考えにくい。これを達成するための一つの可能性は、たとえば、３．７５ｋＨｚなど、望ましい最低のサブキャリア間隔に設定されたｆ０とともに、上述した手法を使用することである。しかし、この構造が１５ｋＨｚにスケール処理された場合、その結果はＬＴＥのスロット構造に整合しなくなってしまい、ＮＲとＬＴＥとの間の共存を低下させてしまうだろう。
【発明の概要】
【０００６】
上記の観点によれば、本開示の目的は、１５ｋＨｚのＬＴＥとの互換性を維持しつつ、ニューメロロジーを単純にスケール処理するための、上述された既存の手法の欠点の少なくとも一つを克服することにある。
【０００７】
この目的を達成するために、本開示の第一の観点によれば、直交周波数分割多重（ＯＦＤＭ）のために構成された第一無線ノードが提供される。第一無線ノードは、受信機、送信機、プロセッサおよび、前記プロセッサによって実行可能なインストラクションを記憶したメモリとを有し、前記プロセッサは当該インストラクションにしたがって前記送信機に、
第一動作モードにおいて第一サブキャリア間隔ｆ１で、プリフィックス処理されたＯＦＤＭシンボルのシーケンスを送信させ、
第二動作モードにおいて第二サブキャリア間隔ｆ２で、プリフィックス処理されたＯＦＤＭシンボルのシーケンスを送信させる。
【０００８】
送信されるＯＦＤＭシンボルのシーケンスは、第一および第二動作モードの両方に対して共通に、予め定義された繰り返し無線フレームと整合しており、または、予め定義された繰り返し無線フレームの整数倍と整合しており、第一および第二サブキャリア間隔は、ｐ≠１の整数を用いた、整数係数ｆ１／ｆ２＝ｐまたはｆ１／ｆ２＝１／ｐによって、関連付けられている。
【０００９】
一つの実施形態によれば、予め定義された繰り返し無線フレームのそれぞれは、１ｍｓの長さを有し、および／または、ニューレディオ（ＮＲ）のサブフレームである。
【００１０】
一つの実施形態によれば、第一動作モードにおいて送信される一つのプリフィックス処理されたＯＦＤＭシンボルのトータル期間は、第二動作モードにおいて送信される整数個のプリフィックス処理されたＯＦＤＭシンボルのトータル期間と等しい。
【００１１】
一つの実施形態によれば、第一動作モードにおいて送信される一つのプリフィックス処理されたＯＦＤＭシンボルのトータル期間は、第二動作モードにおいて送信される整数個の対応したプリフィックス処理されたＯＦＤＭシンボルのトータル期間と等しい。
【００１２】
一つの実施形態によれば、ｆ１／ｆ２＝１／ｐであり、当該整数個はｐである。
【００１３】
一つの実施形態によれば、第二動作モードにおける少なくとも二つの連続したシンボルは、等しくない期間のプリフィックスを有している。
【００１４】
一つの実施形態によれば、第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している。
【００１５】
一つの実施形態によれば、第一動作モードにおいて送信される一つのプリフィックス処理されていないＯＦＤＭシンボルのトータル期間は一定であり、第二動作モードにおいて送信されるプリフィックス処理されていないＯＦＤＭシンボルの期間も一定である。
【００１６】
一つの実施形態によれば、第一動作モードにおいて送信される一つのプリフィックス処理されたＯＦＤＭシンボルの始まりと終わりとは、予め定義された繰り返し無線フレーム、または、予め定義された繰り返し無線フレームの整数倍について、第二動作モードにおいて送信される整数個のプリフィックス処理されたＯＦＤＭシンボルのシーケンスの始まりと終わりとに整合している。
【００１７】
一つの実施形態によれば、第一動作モードにおいて送信される一つのプリフィックス処理されたＯＦＤＭシンボルの始まりと終わりは、第二動作モードにおいて送信される整数個のプリフィックス処理されたＯＦＤＭシンボルのシーケンスの始まりと終わりとに整合している。
【００１８】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、予め定義された繰り返し無線フレームに関して、第一動作モードにおいて送信される少なくともいくつかのＯＦＤＭシンボルの境界と第二動作モードにおいて送信される少なくともいくつかのＯＦＤＭシンボルの境界とが整合するような手法でもってＯＦＤＭシンボルを送信機にプリフィックス処理させるプロセッサによって実行可能なインストラクションを記憶している。
【００１９】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、第一動作モードにおいて送信される少なくともいくつかのＯＦＤＭシンボルの境界と第二動作モードにおいて送信される少なくともいくつかのＯＦＤＭシンボルの境界とが整合するような手法でもってＯＦＤＭシンボルを送信機にプリフィックス処理させるプロセッサによって実行可能なインストラクションを記憶している。
【００２０】
一つの実施形態によれば、境界の整合処理は、少なくとも、予め定義された繰り返し無線フレームが繰り返すたびに、発生する。
【００２１】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、第一動作モードにおいて送信される第一整数個Ｎ１のプリフィックス処理されたＯＦＤＭシンボルのトータル期間と第二動作モードにおいて送信される第二整数個Ｎ２のプリフィックス処理されたＯＦＤＭシンボルのトータル期間とを等しくさせるような長さのプリフィックスを送信機に割り当てさせるプロセッサによって実行可能なインストラクションを記憶する。
【００２２】
一つの実施形態によれば、第一整数個Ｎ１は１であり、第二整数個Ｎ２は１よりも大きい。
【００２３】
一つの実施形態によれば、予め定義された繰り返し無線フレームに関して、第一動作モードで送信されるシンボルのフレームで最初でない境界は、第二動作モードで送信されるシンボルのフレームで最初でない境界と整合している。
【００２４】
一つの実施形態によれば、第一および第二サブキャリア間隔は、２の累乗、ｆ１／ｆ２＝２ｑまたはｆ１／ｆ２＝２−ｑによって関連しており、ここでｑ≠１の整数である。
【００２５】
一つの実施形態によれば、第一無線ノードは、さらに、第三サブキャリア間隔を用いる第三動作モードで操作可能であり、ここで第一および第三サブキャリア間隔は、２の累乗、ｆ１／ｆ３＝ｒまたはｆ１／ｆ３＝２−ｒによって関連しており、ここでｒ≠１の整数である。
【００２６】
一つの実施形態によれば、第一サブキャリア間隔ｆ１または第二サブキャリア間隔ｆ２は、正規の３ＧＰＰ  ＬＴＥサブキャリア間隔である。
【００２７】
一つの実施形態によれば、第一サブキャリア間隔ｆ１または第二サブキャリア間隔ｆ２＝１５ｋＨｚである。
【００２８】
一つの実施形態によれば、第一サブキャリア間隔ｆ１＝１５ｋＨｚである場合に第二サブキャリア間隔ｆ２＜１５ｋＨｚであり、第二サブキャリア間隔ｆ２＝１５ｋＨｚである場合に第一サブキャリア間隔ｆ１＜１５ｋＨｚである。
【００２９】
一つの実施形態によれば、メモリは、さらに、同一の無線フレームにおいて、第一動作モードにおいて少なくとも一つのプリフィックス処理されたＯＦＤＭシンボルと、第二動作モードにおいて少なくとも二つのプリフィックス処理されたＯＦＤＭシンボルとを送信機に送信させるためにプロセッサによって実行可能なインストラクションを記憶している。
【００３０】
一つの実施形態によれば、第一および第二サブキャリア間隔の比率ｆ１／ｆ２は、第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である。
【００３１】
一つの実施形態によれば、第一無線ノードは無線デバイスである。
【００３２】
一つの実施形態によれば、第一無線ノードはネットワークノードである。
【００３３】
本開示の第二の観点によれば、直交周波数分割多重（ＯＦＤＭ）の第一無線ノードで実行される方法が提供される。本方法は、第一動作モードにおいて第一サブキャリア間隔ｆ１でプリフィックス処理されたＯＦＤＭシンボルのシーケンスを送信することと、第二動作モードにおいて第二サブキャリア間隔ｆ２でプリフィックス処理されたＯＦＤＭシンボルのシーケンスを送信することとを有する。送信されるＯＦＤＭシンボルのシーケンスは予め定義された繰り返し無線フレームと整合しており、これは第一および第二動作モードの両方に対して共通であるか、あるいは、予め定義された繰り返し無線フレームの整数倍と整合しており、第一および第二サブキャリア間隔は、整数係数ｆ１／ｆ２＝ｐまたはｆ１／ｆ２＝１／ｐであってＰ≠１の整数によって、関連付けられている。
【００３４】
一つの実施形態によれば、本方法は、さらに、第一および第二動作モードとを切り替えることを含む。
【００３５】
一つの実施形態によれば、当該切り換えることは、一つの無線フレーム内で実行される。
【００３６】
本開示の第三の観点によれば、直交周波数分割多重（ＯＦＤＭ）のために構成された第二無線ノードが提供される。第二無線ノードは、受信機、送信機、プロセッサおよび、前記プロセッサによって実行可能なインストラクションを記憶したメモリとを有し、前記受信機に、
第一動作モードにおいて第一サブキャリア間隔ｆ１で、第一無線ノードからプリフィックス処理されたＯＦＤＭシンボルのシーケンスを受信させ、
第二動作モードにおいて第二サブキャリア間隔ｆ２で、第一無線ノードからプリフィックス処理されたＯＦＤＭシンボルのシーケンスを受信させる。
【００３７】
受信機は、第一および第二動作モードの両方に対して共通に、受信されるＯＦＤＭシンボルのシーケンスが、予め定義された繰り返し無線フレームと公称上は整合している、または、予め定義された繰り返し無線フレームの整数倍と整合しているものと仮定して受信し、第一および第二サブキャリア間隔は、整数係数ｆ１／ｆ２＝ｐまたはｆ１／ｆ２＝１／ｐであってｐ≠１の整数によって、関連付けられている。
【００３８】
一つの実施形態によれば、予め定義された繰り返し無線フレームのそれぞれは、１ｍｓの長さを有し、および／または、ニューレディオ（ＮＲ）のサブフレームである。
【００３９】
一つの実施形態によれば、第一動作モードにおいて送信される一つのプリフィックス処理されたＯＦＤＭシンボルのトータル期間は、第二動作モードにおいて送信される整数個のプリフィックス処理されたＯＦＤＭシンボルのトータル期間と等しい。
【００４０】
一つの実施形態によれば、第一動作モードにおいて送信される一つのプリフィックス処理されたＯＦＤＭシンボルのトータル期間は、第二動作モードにおいて送信される整数個の対応したプリフィックス処理されたＯＦＤＭシンボルのトータル期間と等しい。
【００４１】
一つの実施形態によれば、ｆ１／ｆ２＝１／ｐであり、当該整数個はｐである。
【００４２】
一つの実施形態によれば、第二動作モードにおける少なくとも二つの連続したシンボルは、それぞれ等しくない期間のプリフィックスを有している。
【００４３】
一つの実施形態によれば、第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している。
【００４４】
一つの実施形態によれば、第一動作モードにおいて送信される一つのプリフィックス処理されていないＯＦＤＭシンボルのトータル期間は一定であり、第二動作モードにおいて送信されるプリフィックス処理されていないＯＦＤＭシンボルの期間も一定である。
【００４５】
一つの実施形態によれば、第一動作モードにおいて送信される一つのプリフィックス処理されたＯＦＤＭシンボルの始まりと終わりとは、予め定義された繰り返し無線フレーム、または、予め定義された繰り返し無線フレームの整数倍について、第二動作モードにおいて送信される整数個のプリフィックス処理されたＯＦＤＭシンボルのシーケンスの始まりと終わりとに整合している。
【００４６】
一つの実施形態によれば、第一動作モードにおいて送信される一つのプリフィックス処理されたＯＦＤＭシンボルの始まりと終わりは、第二動作モードにおいて送信される整数個のプリフィックス処理されたＯＦＤＭシンボルのシーケンスの始まりと終わりとに整合している。
【００４７】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、予め定義された繰り返し無線フレームに関して、第一動作モードにおいて送信される少なくともいくつかのＯＦＤＭシンボルの境界と第二動作モードにおいて送信される少なくともいくつかのＯＦＤＭシンボルの境界とが整合するような手法でもって、受信されるＯＦＤＭシンボルが公称上はプリフィックス処理されているものとして、プロセッサによって実行可能なインストラクションを記憶している。
【００４８】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、第一動作モードにおいて送信される少なくともいくつかのＯＦＤＭシンボルの境界と第二動作モードにおいて送信される少なくともいくつかのＯＦＤＭシンボルの境界とが整合するような手法でもって、受信されるＯＦＤＭシンボルが公称上はプリフィックス処理されるという、プロセッサによって実行可能なインストラクションを記憶している。
【００４９】
一つの実施形態によれば、境界の整合処理は、少なくとも、予め定義された繰り返し無線フレームが繰り返すたびに、発生する。
【００５０】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリはさらに、受信されるＯＦＤＭシンボルが、第一動作モードにおいて送信される第一整数個Ｎ１のプリフィックス処理されたＯＦＤＭシンボルのトータル期間と第二動作モードにおいて送信される第二整数個Ｎ２のプリフィックス処理されたＯＦＤＭシンボルのトータル期間とを等しくさせるような長さのプリフィックスを公称上は割り当てられるという、プロセッサによって実行可能なインストラクションを記憶する。
【００５１】
一つの実施形態によれば、第一整数個Ｎ１は１であり、第二整数個Ｎ２は１よりも大きい。
【００５２】
一つの実施形態によれば、予め定義された繰り返し無線フレームに関して、第一動作モードで送信されるシンボルのフレームで最初でない境界は、第二動作モードで送信されるシンボルのフレームで最初でない境界と公称上は整合している。
【００５３】
一つの実施形態によれば、第一および第二サブキャリア間隔は、２の累乗、ｆ１／ｆ２＝２ｑまたはｆ１／ｆ２＝２−ｑによって関連しており、ここでｑ≠１の整数である。
【００５４】
一つの実施形態によれば、第一サブキャリア間隔ｆ１または第二サブキャリア間隔ｆ２は、正規の３ＧＰＰ  ＬＴＥサブキャリア間隔である。
【００５５】
一つの実施形態によれば、第一サブキャリア間隔ｆ１または第二サブキャリア間隔ｆ２＝１５ｋＨｚである。
【００５６】
一つの実施形態によれば、第一サブキャリア間隔ｆ１＝１５ｋＨｚである場合に第二サブキャリア間隔ｆ２＜１５ｋＨｚであり、第二サブキャリア間隔ｆ２＝１５ｋＨｚである場合に第一サブキャリア間隔ｆ１＜１５ｋＨｚである。
【００５７】
一つの実施形態によれば、メモリは、さらに、同一の無線フレームにおいて、第一動作モードにおいて少なくとも一つのＯＦＤＭシンボルと、第二動作モードにおいて少なくとも二つのＯＦＤＭシンボルとを受信機に受信させるためにプロセッサによって実行可能なインストラクションを記憶している。
【００５８】
一つの実施形態によれば、公称上、第一および第二サブキャリア間隔の比率ｆ１／ｆ２は、第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である。
【００５９】
一つの実施形態によれば、第二無線ノードは無線デバイスである。
【００６０】
一つの実施形態によれば、第二無線ノードはネットワークノードである。
【００６１】
本開示の第四の観点によれば、直交周波数分割多重（ＯＦＤＭ）の第二無線ノードで実行される方法が提供される。本方法は、第一動作モードにおいて第一サブキャリア間隔ｆ１でプリフィックス処理されたＯＦＤＭシンボルのシーケンスを第一ノードから受信することと、第二動作モードにおいて第二サブキャリア間隔ｆ２でプリフィックス処理されたＯＦＤＭシンボルのシーケンスを第一ノードから受信することとを有する。受信されるＯＦＤＭシンボルのシーケンスは、第一および第二動作モードの両方に対して共通に、予め定義された繰り返し無線フレームと公称上は整合している、または、予め定義された繰り返し無線フレームの整数倍と整合してものと仮定されており、第一および第二サブキャリア間隔は、整数係数ｆ１／ｆ２＝ｐまたはｆ１／ｆ２＝１／ｐであってｐ≠１の整数によって、関連付けられている。
【００６２】
一つの実施形態によれば、本方法は、さらに、第一および第二動作モードとを切り替えることを含む。
【００６３】
一つの実施形態によれば、当該切り替えることは、一つの無線フレーム内で実行される。
【００６４】
本開示の第五の観点によれば、プログラマブルプロセッサに本開示の第二または第四の観点の方法を実行させるためのコンピュータ可読インストラクションを有したコンピュータプログラムが提供される。
【００６５】
本開示の第六の観点によれば、本開示の第五の観点のコンピュータプログラムを記憶したコンピュータ可読媒体を有するコンピュータプログラムプロダクトが提供される。
【図面の簡単な説明】
【００６６】
本開示についての上述したおよび他の目的、特徴および有利性は図面の参照とともに本開示の実施形態についての以下の説明から明確になるであろう。
【図１】１５ｋＨｚよりも広いサブキャリア間隔を有したいくつかの異なるニューメロロジーのためのＯＦＤＭシンボルからなるサブフレームデザインを示す図。
【図２ａ】本開示の実施形態にしたがった１５ｋＨｚよりも広いおよび狭いサブキャリア間隔を有したいくつかの異なるニューメロロジーのためのＯＦＤＭシンボルからなるサブフレームデザインを示す図。
【図２ｂ】本開示の実施形態にしたがった１５ｋＨｚよりも広いおよび狭いサブキャリア間隔を有したいくつかの異なるニューメロロジーのためのＯＦＤＭシンボルからなるサブフレームデザインを示す図。
【図２ｃ】本開示の実施形態にしたがった１５ｋＨｚよりも広いおよび狭いサブキャリア間隔を有したいくつかの異なるニューメロロジーのためのＯＦＤＭシンボルからなるサブフレームデザインを示す図。
【図３】本開示のいくつかの実施形態にしたがった無線ノード３００のブロック図。
【図４】本開示のいくつかの実施形態にしたがった無線ノードにおける方法４００を示すフローチャート。
【図５】本開示のいくつかの実施形態にしたがった無線ノード５００のブロック図。
【図６】本開示のいくつかの実施形態にしたがった無線ノードにおける方法６００を示すフローチャート。
【図７】無線ノード３００／５００において使用されうる構成７００の実施形態を示す図。
【発明を実施するための形態】
【００６７】
図面においては、同様または同一のステップおよび／または要素は同様または同一の参照番号を用いて指定される。なお、図面に示されたステップおよび／または要素のすべては本開示のいくつかの実施形態にとって必須というわけではない。簡明化のためにオプションのステップおよび／または要素は破線により示されている。
【００６８】
以下の説明において、本技術の特定の実施形態の特定の詳細が、説明目的のためであって、限定のためではなく、説明される。当業者であれば、これらの特定の詳細を離れることなく他の実施形態を採用可能であることを理解するであろう。さらに、いくつかの例示において、よく知られた方法、ノード、インタフェース、回路およびデバイスについての詳細な説明は省略され、これにより不必要な詳細によって説明が邪魔されないようになる。
【００６９】
当業者は記載された機能が一つまたは複数のノードに実装されうることを理解するであろう。記載されるいくつかのまたはすべての機能は、アナログおよび／または特定の機能を実行するために相互接続されたディスクリート論理ゲート、ＡＳＩＣ、ＰＬＡなどのような、ハードウエア回路を使用して実装されてもよい。同様に、いくつかまたはすべての機能は、ソフトウエアプログラムおよびデータを一つ以上のデジタルマイクロプロセッサまたは汎用コンピュータと共に使用するこにより実装されてもよい。エアインタフェースを使用して通信するノードが説明されるが、これらのノードは適切な無線通信回路を有しているものと理解されよう。さらに、本技術は、ここに記載された技術をプロセッサに実行させるコンピュータインストラクションの適切なセットを含むソリッドステートメモリ、磁気ディスク、または光ディスクなどの非一時的な形態を含む、コンピュータ可読メモリのいかなる形式において全体が実現されるものと理解されてもよい。
【００７０】
ここに開示される技術のハードウエア実装は、限定なしに、デジタル信号プロセッサ（ＤＳＰ）ハードウエア、削減されたインストラクションセットプロセッサ、これに限定するわけではないが特定用集積回路（ＡＳＩＣ）および／またはフィールドプログラマブルゲートアレイ（ＦＰＧＡ）などを含むハードウエア（例：デジタルまたはアナログ）回路、および、そのような機能を実行することが可能な状態遷移マシンを含んでもよい。
【００７１】
コンピュータ実装に関しては、コンピュータは一般に一つ以上のプロセッサまたは一つ以上のコントローラを含むものと理解され、用語としてのコンピュータ、プロセッサおよびコントローラは相互に入れ替え可能である。コンピュータ、プロセッサまたはコントローラによって提供される場合に、機能は、単一の専用コンピュータまたはプロセッサまたはコントローラによって提供されてもよいし、単一の共用コンピュータ、プロセッサまたはコントローラによって提供されてもよいし、あるいは、複数の個別のコンピュータ、プロセッサまたはコントローラによって提供されてもよく、これらのいくつかはシェアされるか、分散されていてもよい。さらに、用語としての「プロセッサ」または「コントローラ」はまたそのような機能を実行するおよび／またはソフトウエアを実行する、上述したような例示的なハードウエアのように、他のハードエアを指していてもよい。
【００７２】
当業者であれば理解するように、様々な無線システムが本開示によってカバーされるアイデアを実施することによって恩恵を受けうるため、ここで使用されている用語「基地局」、「ユーザ装置」、「アクセスポイント」および「コアネットワークノード」は広義に解釈されなければならない。とりわけ、基地局は、第二世代ネットワークにおけるレガシーの基地局と、第三世代ネットワークにおけるＮｏｄｅＢと、第四世代ネットワークまたは、将来の発展型ネットワーク（例：ＬＴＥネットワークやＬＴＥ−Ａネットワークその他）における発展型ＮｏｄｅＢ（ｅＮｏｄｅＢ）と、その他とを含むものと理解されなければならない。ユーザ装置は、移動電話機、スマートフォン、無線通信可能なタブレットまたはパーソナルコンピュータ、無線マシンツーマシンユニット、およびその他を含むものと理解されなければならない。アクセスポイントは、無線スイッチ、無線ルーター、無線ハブ、無線ブリッジ、または、アクセス機能のための無線ローカルエリアネットワークにおいて使用可能ないずれかのデバイス、その他を含むものとして理解されなければならない。コアネットワークノードは、モビリティマネージメントエンティティ（ＭＭＥ）、サービングＧＰＲＳサポートノード（ＳＧＳＮ）およびその他を含むものとして理解されなければならない。
【００７３】
本開示によれば、ＬＴＥのサブキャリア間隔を基本周波数ｆ０＝１５ｋＨｚとして選択し、この値からサブキャリア間隔を削減するときと比較してサブキャリア間隔を増加させるときに異なるスケーリングストラテジーを使用することが提案される。
【００７４】
サブキャリア間隔を３０ｋＨｚ、６０ｋＨｚ、１２０ｋＨｚ・・・というように増加させる場合、より低いニューメロロジーのＯＦＤＭシンボルのそれぞれ（つまり、より低いサブキャリア間隔を使用するもの）は、より高いニューメロロジー（つまり、より高いサブキャリア間隔のもの）におけるそれぞれ等しい長さの二つのシンボルへと分割される。なお、このケースにおいて、「より長い」サイクリックプリフィックスが、０．５ｍｓの周期の始めに配置される。
【００７５】
たとえば、図２ａに示されているように、１５ｋＨｚのサブキャリア間隔を有しているニューメロロジーのＯＦＤＭシンボルのそれぞれは、３０ｋＨｚのサブキャリア間隔を有するニューメロロジーにおける等しい長さの二つのＯＦＤＭシンボル、または、６０ｋＨｚのサブキャリア間隔を有するニューメロロジーにおける等しい長さの四つのＯＦＤＭシンボルへ分割可能である。これは図２ｂにおいて「３０」と「６０」の行において示されており、２ｍｓにわたる、ＬＴＥのＴｓの倍数の、ＯＦＤＭシンボルの期間（ＣＰを含む）を示している。図２ｃは図２ｂにおいて示された二つの部分の拡大図であり、上の部分（１）で示された最初の二つの０．５ｍｓの周期（０．５ｍｓ（Ｉ）と０．５ｍｓ（ＩＩ））と、下の部分（２）で示された、それに続く二つの０．５ｍｓの周期（０．５ｍｓ（ＩＩＩ）と０．５ｍｓ（ＩＶ））とを含む。代替的に、図２ｂと図２ｃにおいて「３０  ａｌｔ．」と「６０  ａｌｔ．」という行に示されているように、１５ｋＨｚのサブキャリア間隔を有するニューメロロジーの最初のＯＦＤＭシンボルは、３０ｋＨｚのサブキャリア間隔を有するニューメロロジーの二つのＯＦＤＭシンボル、または、６０ｋＨｚのサブキャリア間隔を有するニューメロロジーの四つのＯＦＤＭシンボルへ分割可能であり、３０ｋＨｚまたは６０ｋＨｚのサブキャリア間隔を有するニューメロロジーにおける０．５ｍｓの期間ごとの最初のＯＦＤＭシンボルだけが「より長い」ＣＰを有し、他のＯＦＤＭシンボルのすべては同一の期間を有している。
【００７６】
１５ｋＨｚから７．５ｋＨｚや３．７５ｋＨｚその他にサブキャリア間隔を減少させる場合、より高いニューメロロジーにおけるＯＦＤＭシンボルはペアごとに連結され、より低いサブキャリア間隔のニューメロロジーにおける一つのＯＦＤＭシンボルを形成する。これは、より長いシンボル（より低いニューメロロジーにおける）が、より短いＣＰを有する二つのシンボル、または、より長いＣＰを有する一つのシンボルとより短いＣＰを有する一つのシンボルとの和と等しい期間を有することを招く。なお、このケースにおいて、「より長い」サイクリックプリフィックスが、０．５ｍｓの周期のセットの始まりに配置されることは必須ではない。
【００７７】
たとえば、図２ａ、図２ｂおよび図２ｃに示されているように、３．７５ｋＨｚのサブキャリア間隔を有しているニューメロロジーのＯＦＤＭシンボルのそれぞれは、７．５ｋＨｚのサブキャリア間隔を有するニューメロロジーにおける二つの対応するＯＦＤＭシンボル、または、１５ｋＨｚのサブキャリア間隔を有するニューメロロジーにおける四つの対応するＯＦＤＭシンボルと等しい期間を有している。この説明において、これらが同時に始まり、そして終わるという意味で、あるニューメロロジーの一つのＯＦＤＭシンボルが他のニューメロロジーの二つまたは四つのＯＦＤＭシンボルに整合しいているときに、当該一つのＯＦＤＭシンボルは当該二つまたは四つのＯＦＤＭシンボルに「対応」している。
【００７８】
図３は、本開示のいくつかの実施形態にしたがった無線ノード３００のブロック図である。無線ノード３００は無線デバイスまたはネットワークノードのどちらであってもよい。無線ノード３００は、直交周波数分割多重（ＯＦＤＭ）のために構成された第一無線ノードとして使用可能である。無線ノード３００は、受信機３１０と、送信機３２０と、プロセッサ３３０と、メモリ３４０とを有する。
【００７９】
メモリ３４０は、プロセッサ３３０によって実行可能なインストラクションを含み、これによって送信機３２０に、
第一サブキャリア間隔ｆ１を用いた第一動作モードにおいて、プリフィックス処理されたＯＦＤＭシンボルのシーケンスを送信させ、
第二サブキャリア間隔ｆ２を用いた第二動作モードにおいて、プリフィックス処理されたＯＦＤＭシンボルのシーケンスを送信させる。
【００８０】
送信されるＯＦＤＭシンボルのシーケンスは予め定義された繰り返し無線フレームと整合しており、これは第一および第二動作モードの両方に対して共通であるか、あるいは、当該無線フレームの整数倍と整合しており、第一および第二サブキャリア間隔は、整数係数ｆ１／ｆ２＝ｐまたはｆ１／ｆ２＝１／ｐであってｐ≠１の整数によって、関連付けられている。ｐ≠１の整数によって、関連付けられている。たとえば、図２において示されているように、ｆ１は１５ｋＨｚであり、ｆ２は７．５ｋＨｚまたは３０ｋＨｚであってもよい。
【００８１】
一つの実施形態によれば、予め定義された繰り返し無線フレームのそれぞれは、１ｍｓの長さを有し、および／または、ニューレディオ（ＮＲ）のサブフレームである。
【００８２】
一つの実施形態によれば、第一動作モードにおいて送信される一つのプリフィックス処理されたＯＦＤＭシンボルのトータル期間は、第二動作モードにおいて送信される整数個のプリフィックス処理されたＯＦＤＭシンボルのトータル期間と等しい。
【００８３】
一つの実施形態によれば、第一動作モードにおいて送信される一つのプリフィックス処理されたＯＦＤＭシンボルのトータル期間は、第二動作モードにおいて送信される整数個の対応したプリフィックス処理されたＯＦＤＭシンボルのトータル期間と等しい。この説明において、これらが同時に始まり、そして終わるという意味で、あるニューメロロジーの一つのＯＦＤＭシンボルが他のニューメロロジーのいくつかのＯＦＤＭシンボルに整合しいているときに、当該一つのＯＦＤＭシンボルは当該いくつかのＯＦＤＭシンボルに「対応」している。
【００８４】
一つの実施形態によれば、ｆ１／ｆ２＝１／ｐであり、当該整数個はｐである。
【００８５】
一つの実施形態によれば、第二動作モードにおける少なくとも二つの連続したシンボルは、等しくない期間のプリフィックスを有している。
【００８６】
一つの実施形態によれば、第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している。この例は図２ｂおよび図２ｃにおいて  “３０  ａｌｔ”  と“６０  ａｌｔ”の行に示されている。
【００８７】
一つの実施形態によれば、第一動作モードにおいて送信される一つのプリフィックス処理されていないＯＦＤＭシンボルのトータル期間は一定であり、第二動作モードにおいて送信されるプリフィックス処理されていないＯＦＤＭシンボルの期間も一定である。
【００８８】
一つの実施形態によれば、第一動作モードにおいて送信される一つのプリフィックス処理されたＯＦＤＭシンボルの始まりと終わりとは、予め定義された繰り返し無線フレーム、または、予め定義された繰り返し無線フレームの整数倍について、第二動作モードにおいて送信される整数個のプリフィックス処理されたＯＦＤＭシンボルのシーケンスの始まりと終わりとに整合している。
【００８９】
一つの実施形態によれば、第一動作モードにおいて送信される一つのプリフィックス処理されたＯＦＤＭシンボルの始まりと終わりは、第二動作モードにおいて送信される整数個のプリフィックス処理されたＯＦＤＭシンボルのシーケンスの始まりと終わりとに整合している。
【００９０】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ３４０はさらに、予め定義された繰り返し無線フレームに関して、第一動作モードにおいて送信される少なくともいくつかのＯＦＤＭシンボルの境界と第二動作モードにおいて送信される少なくともいくつかのＯＦＤＭシンボルの境界とが整合するような手法でもってＯＦＤＭシンボルを送信機３２０にプリフィックス処理させるプロセッサ３３０によって実行可能なインストラクションを記憶している。
【００９１】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ３４０はさらに、第一動作モードにおいて送信される少なくともいくつかのＯＦＤＭシンボルの境界と第二動作モードにおいて送信される少なくともいくつかのＯＦＤＭシンボルの境界とが整合するような手法でもってＯＦＤＭシンボルを送信機３２０にプリフィックス処理させるための、プロセッサ３３０によって実行可能なインストラクションを記憶している。
【００９２】
一つの実施形態によれば、境界の整合処理は、少なくとも、予め定義された繰り返し無線フレームが繰り返すたびに、発生する。
【００９３】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ３４０はさらに、第一動作モードにおいて送信される第一整数個Ｎ１のプリフィックス処理されたＯＦＤＭシンボルのトータル期間と、第二動作モードにおいて送信される第二整数個Ｎ２のプリフィックス処理されたＯＦＤＭシンボルのトータル期間とを等しくさせるような長さのプリフィックスを送信機３２０に割り当てさせるための、プロセッサ３３０によって実行可能なインストラクションを記憶する。
【００９４】
一つの実施形態によれば、第一整数個Ｎ１は１であり、第二整数個Ｎ２は１よりも大きい。
【００９５】
一つの実施形態によれば、予め定義された繰り返し無線フレームに関して、第一動作モードで送信されるシンボルのフレームで最初でない境界は、第二動作モードで送信されるシンボルのフレームで最初でない境界と整合している。
【００９６】
一つの実施形態によれば、第一および第二サブキャリア間隔は、２の累乗、ｆ１／ｆ２＝２ｑまたはｆ１／ｆ２＝２−ｑによって関連しており、ここでｑ≠１の整数である。
【００９７】
一つの実施形態によれば、第一無線ノード３００は、さらに、第三サブキャリア間隔を用いる第三動作モードで動作可能であり、ここで第一および第三サブキャリア間隔は、２の累乗、ｆ１／ｆ３＝ｒまたはｆ１／ｆ３＝２−ｒによって関連しており、ここでｒ≠１の整数である。
【００９８】
一つの実施形態によれば、第一サブキャリア間隔ｆ１または第二サブキャリア間隔ｆ２は、正規の３ＧＰＰ  ＬＴＥサブキャリア間隔である。
【００９９】
一つの実施形態によれば、第一サブキャリア間隔ｆ１または第二サブキャリア間隔ｆ２＝１５ｋＨｚである。
【０１００】
一つの実施形態によれば、第一サブキャリア間隔ｆ１＝１５ｋＨｚである場合に第二サブキャリア間隔ｆ２＜１５ｋＨｚであり、第二サブキャリア間隔ｆ２＝１５ｋＨｚである場合に第一サブキャリア間隔ｆ１＜１５ｋＨｚである。
【０１０１】
一つの実施形態によれば、メモリ３４０は、さらに、同一の予め定義された繰り返し無線フレームにおいて、第一動作モードにおいて少なくとも一つのプリフィックス処理されたＯＦＤＭシンボルと、第二動作モードにおいて少なくとも二つのプリフィックス処理されたＯＦＤＭシンボルとを送信機３２０に送信させるためにプロセッサ３３０によって実行可能なインストラクションを記憶している。
【０１０２】
一つの実施形態によれば、第一および第二サブキャリア間隔の比率ｆ１／ｆ２は、第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である。
【０１０３】
図４は本開示のいくつかの実施形態にしたがった無線ノードにおける方法４００を示すフローチャートである。
【０１０４】
方法４００はステップＳ４１０とＳ４２０とを有している。ステップＳ４１０で、無線ノードは、第一サブキャリア間隔ｆ１を伴う第一動作モードにあり、プリフィックス処理されたＯＦＤＭシンボルのシーケンスが送信される。ステップＳ４２０で、無線ノードは、第二サブキャリア間隔ｆ２を伴う第二動作モードにあり、プリフィックス処理されたＯＦＤＭシンボルのシーケンスが送信される。方法４００において、第一および第二動作モードの両方に対して共通に、送信されるＯＦＤＭシンボルのシーケンスは予め定義された繰り返し無線フレームと整合しているか、または、予め定義された繰り返し無線フレームの整数倍と整合しており、第一および第二サブキャリア間隔は、整数係数ｆ１／ｆ２＝ｐまたはｆ１／ｆ２＝１／ｐであってｐ≠１の整数によって、関連付けられている。ｐ≠１の整数によって、関連付けられている。
【０１０５】
一つの実施形態によれば、方法４００は、さらに、第一および第二動作モードを切り替えるステップＳ４３０を有している（図４における双方向矢印）。さらに、当該切り替えることは、一つの無線フレーム内で実行される。
【０１０６】
図５は、本開示のいくつかの実施形態にしたがった無線ノード５００のブロック図である。無線ノード５００は無線デバイスまたはネットワークノードのどちらであってもよい。無線ノード５００は、直交周波数分割多重（ＯＦＤＭ）のために構成された第二無線ノードとして使用可能である。無線ノード５００は、受信機５１０と、送信機５２０と、プロセッサ５３０と、メモリ５４０とを有する。
【０１０７】
メモリ５４０は、プロセッサ５３０によって実行可能なインストラクションを含み、これによって受信機５１０に
第一サブキャリア間隔ｆ１を用いた第一動作モードにおいて、第一無線ノードからプリフィックス処理されたＯＦＤＭシンボルのシーケンスを受信させ、
第二サブキャリア間隔ｆ２を用いた第二動作モードにおいて、第一無線ノードからプリフィックス処理されたＯＦＤＭシンボルのシーケンスを受信させる。
【０１０８】
受信機５１０は、第一および第二動作モードの両方に対して共通に、受信されるＯＦＤＭシンボルのシーケンスが、予め定義された繰り返し無線フレームと公称上は整合しているか、または、予め定義された繰り返し無線フレームの整数倍と整合しているものと仮定して受信し、第一および第二サブキャリア間隔は、整数係数ｆ１／ｆ２＝ｐまたはｆ１／ｆ２＝１／ｐであってｐ≠１の整数によって、関連付けられている。たとえば、図２において示されているように、ｆ１は１５ｋＨｚであり、ｆ２は７．５ｋＨｚまたは３０ｋＨｚであってもよい。
【０１０９】
一つの実施形態によれば、予め定義された繰り返し無線フレームのそれぞれは、１ｍｓの長さを有し、および／または、ニューレディオ（ＮＲ）のサブフレームである。
【０１１０】
一つの実施形態によれば、第一動作モードにおいて送信される一つのプリフィックス処理されたＯＦＤＭシンボルのトータル期間は、第二動作モードにおいて送信される整数個のプリフィックス処理されたＯＦＤＭシンボルのトータル期間と等しい。
【０１１１】
一つの実施形態によれば、第一動作モードにおいて送信される一つのプリフィックス処理されたＯＦＤＭシンボルのトータル期間は、第二動作モードにおいて送信される整数個の対応したプリフィックス処理されたＯＦＤＭシンボルのトータル期間と等しい。
【０１１２】
一つの実施形態によれば、ｆ１／ｆ２＝１／ｐであり、当該整数個はｐである。
【０１１３】
一つの実施形態によれば、第二動作モードにおける少なくとも二つの連続したシンボルは、等しくない期間のプリフィックスを有している。
【０１１４】
一つの実施形態によれば、第一または第二動作モードにおいて０．５ｍｓの期間ごとに、一番目のプリフィックス処理されたＯＦＤＭシンボルは、いずれの残りのプリフィックス処理されたＯＦＤＭシンボルよりも長いプリフィックスを有しており、当該残りのプリフィックス処理されたＯＦＤＭシンボルは同一の長さのプリフィックスを有している。この例は図２ｂおよび図２ｃにおいて“３０  ａｌｔ．”と“６０  ａｌｔ．”  の行に示されている。
【０１１５】
一つの実施形態によれば、第一動作モードにおいて送信される一つのプリフィックス処理されていないＯＦＤＭシンボルのトータル期間は一定であり、第二動作モードにおいて送信されるプリフィックス処理されていないＯＦＤＭシンボルの期間も一定である。
【０１１６】
一つの実施形態によれば、第一動作モードにおいて送信される一つのプリフィックス処理されたＯＦＤＭシンボルの始まりと終わりとは、予め定義された繰り返し無線フレーム、または、予め定義された繰り返し無線フレームの整数倍について、第二動作モードにおいて送信される整数個のプリフィックス処理されたＯＦＤＭシンボルのシーケンスの始まりと終わりとに整合している。
【０１１７】
一つの実施形態によれば、第一動作モードにおいて送信される一つのプリフィックス処理されたＯＦＤＭシンボルの始まりと終わりは、第二動作モードにおいて送信される整数個のプリフィックス処理されたＯＦＤＭシンボルのシーケンスの始まりと終わりとに整合している。
【０１１８】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ５４０はさらに、予め定義された繰り返し無線フレームに関して、第一動作モードにおいて送信される少なくともいくつかのＯＦＤＭシンボルの境界と第二動作モードにおいて送信される少なくともいくつかのＯＦＤＭシンボルの境界とが整合するような手法でもって、受信されるＯＦＤＭシンボルが公称上はプリフィックス処理されているという、プロセッサ５３０によって実行可能なインストラクションを記憶している。
【０１１９】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ５４０はさらに、第一動作モードにおいて送信される少なくともいくつかのＯＦＤＭシンボルの境界と第二動作モードにおいて送信される少なくともいくつかのＯＦＤＭシンボルの境界とが整合するような手法でもって、受信されるＯＦＤＭシンボルが公称上はプリフィックス処理されているという、プロセッサ５３０によって実行可能なインストラクションを記憶している。
【０１２０】
一つの実施形態によれば、境界の整合処理は、少なくとも、予め定義された繰り返し無線フレームが繰り返すたびに、発生する。
【０１２１】
一つの実施形態によれば、第一動作モードにおける一つのプリフィックス処理されていないＯＦＤＭシンボルのトータル期間ｔ１は、第二動作モードにおける一つのプリフィックス処理されていないＯＦＤＭシンボルの期間ｔ２の整数倍である。メモリ５４０はさらに、受信されるＯＦＤＭシンボルが、第一動作モードにおいて送信される第一整数個Ｎ１のプリフィックス処理されたＯＦＤＭシンボルのトータル期間と第二動作モードにおいて送信される第二整数個Ｎ２のプリフィックス処理されたＯＦＤＭシンボルのトータル期間とを等しくさせるような長さのプリフィックスを公称上は割り当てられているという、プロセッサ５３０によって実行可能なインストラクションを記憶する。
【０１２２】
一つの実施形態によれば、第一整数個Ｎ１は１であり、第二整数個Ｎ２は１よりも大きい。
【０１２３】
一つの実施形態によれば、予め定義された繰り返し無線フレームに関して、第一動作モードで送信されるシンボルのフレームで最初でない境界は、第二動作モードで送信されるシンボルのフレームで最初でない境界と公称上は整合している。
【０１２４】
一つの実施形態によれば、第一および第二サブキャリア間隔は、２の累乗、ｆ１／ｆ２＝２ｑまたはｆ１／ｆ２＝２−ｑによって関連しており、ここでｑ≠１の整数である。
【０１２５】
一つの実施形態によれば、第一サブキャリア間隔ｆ１または第二サブキャリア間隔ｆ２は、正規の３ＧＰＰ  ＬＴＥサブキャリア間隔である。
【０１２６】
一つの実施形態によれば、第一サブキャリア間隔ｆ１または第二サブキャリア間隔ｆ２＝１５ｋＨｚである。
【０１２７】
一つの実施形態によれば、第一サブキャリア間隔ｆ１＝１５ｋＨｚである場合に第二サブキャリア間隔ｆ２＜１５ｋＨｚであり、第二サブキャリア間隔ｆ２＝１５ｋＨｚである場合に第一サブキャリア間隔ｆ１＜１５ｋＨｚである。
【０１２８】
一つの実施形態によれば、メモリ５４０は、さらに、同一の無線フレームにおいて、第一動作モードにおいて少なくとも一つのＯＦＤＭシンボルと、第二動作モードにおいて少なくとも二つのＯＦＤＭシンボルとを受信機５１０に受信させるためにプロセッサ５３０によって実行可能なインストラクションを記憶している。
【０１２９】
一つの実施形態によれば、公称上、第一および第二サブキャリア間隔の比率ｆ１／ｆ２は、第一および第二動作モードにおけるプリフィックス処理されていないＯＦＤＭシンボルのそれぞれの期間の比率ｔ１／ｔ２の逆数に等しく、ｆ１／ｆ２＝ｔ２／ｔ１である。
【０１３０】
図６は本開示のいくつかの実施形態にしたがった無線ノードにおける方法６００を示すフローチャートである。
【０１３１】
方法６００はステップＳ６１０とＳ６２０とを有している。ステップＳ６１０で、無線ノードは、第一サブキャリア間隔ｆ１を伴う第一動作モードにあり、プリフィックス処理されたＯＦＤＭシンボルのシーケンスが第一無線ノードから受信される。ステップＳ６２０で、無線ノードは、第二サブキャリア間隔ｆ２を伴う第二動作モードにあり、プリフィックス処理されたＯＦＤＭシンボルのシーケンスが第一無線ノードから受信される。方法６００において、第一および第二動作モードの両方に対して共通に、受信されるＯＦＤＭシンボルのシーケンスは、予め定義された繰り返し無線フレームと公称上は整合しているか、または、予め定義された繰り返し無線フレームの整数倍と整合しているものと仮定されており、第一および第二サブキャリア間隔は、整数係数ｆ１／ｆ２＝ｐまたはｆ１／ｆ２＝１／ｐであってｐ≠１の整数によって、関連付けられている。
【０１３２】
一つの実施形態によれば、方法６００は、さらに、第一および第二動作モードを切り替えるステップＳ６３０を有している（図６における双方向矢印）。さらに、当該切り替えることは、一つの無線フレーム内で実行される。
【０１３３】
図７は無線ノード３００／５００において使用されうる構成７００の実施形態を示す図である。
【０１３４】
構成７００に含まれているのは、ここでは、プロセッシングユニット７０６と、たとえば、デジタル信号プロセッサ（ＤＳＰ）である。プロセッシングユニット７０６は、ここに記述されたプロシージャにおける異なるアクションを実行する一つのユニットまたは複数のユニットであってもよい。構成７００は、また、他のエンティティから信号を受信する入力ユニット７０２と、他のエンティティへ信号を提供する出力ユニット７０４とを有していてもよい。入力ユニットおよび出力ユニットは統合されたエンティティであってもよいし、または、図７の例に示されているようなものであってもよい。
【０１３５】
さらに、構成７００は、電気的に消去可能なプログラマブルリードオンリーメモリ（ＥＥＰＲＯＭ）、フラッシュメモリおよびハードドライブなどの、不揮発性または揮発性のメモリの形式で、少なくとも一つのコンピュータプログラムプロダクト７０８を含む。コンピュータプログラムプロダクト７０８は、コンピュータプログラム７１０を有し、これは、コード／コンピュータ可読インストラクションを有し、構成７００におけるプロセッシングユニット７０６によって実行されると、構成７００および／または無線ノードに、たとえば、図４および／または図６に関連してすでに説明されたプロシージャにおけるアクションを実行させる。
【０１３６】
コンピュータプログラム７１０は、コンピュータプログラムモジュール７１０ａ−７１０ｃ内で構造化されたコンピュータプログラムコードとして構成されてもよい。
【０１３７】
ゆえに、図４に対応した例示的な実施形態によれば、構成７００のコンピュータプログラム７１０におけるコードは、第一動作モードにおいて第一サブキャリア間隔ｆ１で、プリフィックス処理されたＯＦＤＭシンボルのシーケンスを出力ユニット７０４に送信させる第一モード動作モジュール７１０ａと、プリフィックス処理されたＯＦＤＭシンボルのシーケンスを送信するために、第二動作モードにおいて第二サブキャリア間隔ｆ２で出力ユニット７０４に送信させる第二モード動作モジュール７１０ｂと、を有する。切替モジュール７１０ｃは、出力ユニット７０４に第一および第二動作モードを切り替えさせるためのオプションである。
【０１３８】
図６に対応した例示的な実施形態によれば、構成７００のコンピュータプログラム７１０におけるコードは、第一動作モードにおいて第一サブキャリア間隔ｆ１で、第一無線ノードから、プリフィックス処理されたＯＦＤＭシンボルのシーケンスを入力ユニット７０２に受信させる第一モード動作モジュール７１０ａと、第二動作モードにおいて第二サブキャリア間隔ｆ２で、第一無線ノードから、プリフィックス処理されたＯＦＤＭシンボルのシーケンスを入力ユニット７０２に受信させる第二モード動作モジュール７１０ｂと、を有する。切替モジュール７１０ｃは、入力ユニット７０２に第一および第二動作モードを切り替えさせるためのオプションである。
【０１３９】
図７に関連して上で説明された実施形態におけるコード手段は、プロセッシングユニットにより実行されると、デバイスに、上述の図面に関連して説明された上述のアクションを実行させるコンピュータプログラムとして実装されるが、他の実施形態においては、少なくとも一つのコード手段が少なくとも部分的にハードウエア回路として実装されてもよい。
【０１４０】
プロセッサは、単一のＣＰＵ（中央処理装置）であってもよいし、二つ以上のプロセッシングユニットを含んでもよい。たとえば、プロセッサは、汎用マイクロプロセッサ、インストラクションセットプロセッサ、および／または、関連のチップセット、および／または、特定用途集積回路（ＡＳＩＣ）のような特定用途マイクロプロセッサを含んでもよい。プロセッサは、さらに、キャッシュ目的のボードメモリを有してもよい。コンピュータプログラムは、プロセッサに接続されたコンピュータプログラムプロダクトによって搬送されてもよい。コンピュータプログラムプロダクトは、コンピュータプログラムが記憶されるコンピュータ可読媒体を含んでもよい。たとえば、コンピュータプログラムプロダクトは、フラッシュメモリ、ランダムアクセスメモリ（ＲＡＭ）、リードオンリーメモリ（ＲＯＭ）、または、ＥＥＰＲＯＭであってもよいし、上述されたコンピュータプログラムモジュールは、代替的な実施形態において、ＵＥ内のメモリの形態で、異なるコンピュータプログラムプロダクトに分散されてもよい。
【０１４１】
本開示の実施形態によれば、実行されると、一つ以上のコンピューティングデバイスに、本開示の方法を実行させるインストラクションを記憶したコンピュータ可読記憶媒体（例：コンピュータプログラムプロダクト７０８）が提供される。
【０１４２】
本技術は特定の実施形態に関連して上で説明されてきたが、ここで説明された特定の形式に限定する意図は存在しない。たとえば、ここで提示された実施形態は、既存のＮＲ／ＬＴＥ構成に限定されることはなく、これらは将来において策定される新しいＮＲ／ＬＴＥ構成にも等しく適用可能である。本技術は添付の特許請求の範囲によってのみ限定され、添付の撤去請求の範囲内で、上述された特別のものとは異なる他の実施形態も等しく可能である。ここで使用されているように、“ｃｏｍｐｒｉｓｅ／ｃｏｍｐｒｉｓｅｓ（有する）”または  “ｉｎｃｌｕｄｅ／ｉｎｃｌｕｄｅｓ（含む）”  という用語は他の要素またはステップの存在を排除するものではない。さらに、個々の特徴が異なる請求項に含まれているからもしれないが、これらは有利に組み合わせることが可能であり、異なるクレームを包含することが、特徴の組み合わせが便利および／または有利であることを黙示するものではない。加えて、単一表現が複数であることを排除するものでもない。最終的に、請求項における参照符号は例示を明らかにするために提供されており、いかなる場合にも請求項の範囲を限定するものとして解釈されてはならない。
【０１４３】
ＮＲ用語についての注釈
３ＧＰＰは、本開示についての最先の優先日と出願日との間の期間においてＮＲ用語に関して合意している。ＮＲ用語およびＬＴＥ用語は考慮可能な限りにおいて一致しており、たとえば、リソースエレメント（ＲＥ）は１つのサブキャリア×１つのＯＦＤＭシンボルに維持されている。さらに、ＬＴＥにおいて知られているいくつかの用語はＮＲにおいては新しい意味が付与されている。不明確さが生じない限りにおいて、請求項を含む、この開示は、プリフィックスを「ＬＴＥ」と「ＮＲ」とに適用する。例示：１ｍｓにわたり継続するＬＴＥサブフレームは、ノーマルのＣＰについて、１４個のＯＦＤＭシンボルを含む。ＮＲサブフレームは１ｍｓの固定期間を有し、ゆえに、異なるサブキャリア間隔に対して異なる個数のＯＦＤＭシンボルを含みうる。ＬＴＥスロットは、ノーマルのＣＰについて、７個のＯＦＤＭシンボルを含む。１５ｋＨｚのサブキャリア間隔において、ＮＲスロットは７個または１４個のＯＦＤＭシンボルに対応しており、７個のＯＦＤＭシンボルを有するスロットは０．５ｍｓを占有する。ＮＲ用語に関して、３ＧＰＰ  ＴＲ  ３８．８０２  ｖ１４．０．０およびその後のバージョンが参照される。
【０１４４】
本開示において前置きされていない用語は、他の断りが無い限り、ＬＴＥの感覚にしたがって理解されるべきであろう。しかし、ＬＴＥから知られている目的または動作を指定するいずれかの用語は、ＮＲの技術仕様の観点から機能的に再解釈されることが期待されている。例示：両者が１０ｍｓの期間を有していることが考慮される場合、ＬＴＥの無線フレームは、ＮＲフレームと機能的に均等となろう。ＬＴＥのｅＮＢはＮＲのｇＮＢと機能的に均等であってもよいが、これはダウンリンク送信機としてのこれらの機能が少なくとも部分的にオーバーラップしているからである。ＬＴＥにおける最小のスケジュール可能なリソース単位は、ＮＲにおける最小のスケジュール可能なリソース単位として再解釈されてもよい。ＬＴＥのアクノレッジメントフィードバックを可能とする最短のデータセットは、ＮＲのアクノレッジメントフィードバックを可能とする最短のデータセットとして再解釈されてもよい。
【０１４５】
したがって、本開示のいくつかの実施形態が、ＬＴＥ向けの用語を用いて説明されているが、これらは完全にＮＲの用語にも適用可能である。
【図１】
2019522918.tif 000003
【図２ａ】
2019522918.tif 000004
【図２ｂ】
2019522918.tif 000005
【図２ｃ】
2019522918.tif 000006
【図３】
2019522918.tif 000007
【図４】
2019522918.tif 000008
【図５】
2019522918.tif 000009
【図６】
2019522918.tif 000010
【図７】
2019522918.tif 000011
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）のために構成された第一無線ノード（３００）であって、受信機（３１０）と、送信機（３２０）と、プロセッサ（３３０）と、前記送信機（３２０）に、
第一動作モードにおいて、ｑ≧１の整数を用いた第一サブキャリア間隔ｆ１＝２−ｑ×１５ｋＨｚで、プリフィックス処理されたＯＦＤＭシンボルの第一シーケンスを送信させ、
第二動作モードにおいて、第二サブキャリア間隔ｆ２＝１５ｋＨｚで、プリフィックス処理されたＯＦＤＭシンボルの第二シーケンスを送信させる、
前記プロセッサ（３３０）によって実行可能なインストラクションを記憶するメモリ（３４０）とを有し、
０．５ｍｓの期間ごとに、前記第二シーケンスにおける一番目のプリフィックス処理されたＯＦＤＭシンボルは、いずれの残りのプリフィックス処理された一つ以上のＯＦＤＭシンボルよりも長いプリフィックスを有しており、当該残りのプリフィックス処理された一つ以上のＯＦＤＭシンボルは同一の長さのプリフィックスを有しており、
前記第一および第二動作モードの両方に対して共通に、前記送信されるＯＦＤＭシンボルのシーケンスは予め定義された繰り返し無線フレーム、または、前記予め定義された繰り返し無線フレームの整数倍と整合しており、
前記第一動作モードにおいて送信されるいずれのプリフィックス処理されたＯＦＤＭシンボルのトータル期間も、前記第二動作モードにおいて連続して送信される整数個のプリフィックス処理されたＯＦＤＭシンボルのトータル期間と等しい、第一無線ノード。
【請求項２】
請求項１に記載の第一無線ノード（３００）であって、前記第一動作モードにおいて送信される一つのプリフィックス処理されたＯＦＤＭシンボルのトータル期間は、前記第二動作モードにおいて送信される整数個の対応するプリフィックス処理されたＯＦＤＭシンボルのトータル期間と等しい、第一無線ノード。
【請求項３】
請求項１または２に記載の第一無線ノード（３００）であって、前記第一動作モードにおいて送信される前記いずれかのプリフィックス処理されたＯＦＤＭシンボルの始まりと終わりは、前記第二動作モードにおいて送信される整数個のプリフィックス処理されたＯＦＤＭシンボルのシーケンスの始まりと終わりとに整合している、第一無線ノード。
【請求項４】
請求項１ないし３のいずれか一項に記載の第一無線ノード（３００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（３４０）は、さらに、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもってＯＦＤＭシンボルを前記送信機（３２０）にプリフィックス処理させる、前記プロセッサ（３３０）によって実行可能なインストラクションを記憶している、第一無線ノード。
【請求項５】
請求項４に記載の第一無線ノード（３００）であって、境界の整合処理は、少なくとも、前記予め定義された繰り返し無線フレームが繰り返すたびに、発生する、第一無線ノード。
【請求項６】
請求項１ないし５のいずれか一項に記載の第一無線ノード（３００）であって、前記予め定義された繰り返し無線フレームに関して、前記第一動作モードで送信されるシンボルのフレームで最初でない境界は、前記第二動作モードで送信されるシンボルのフレームで最初でない境界と整合している、第一無線ノード。
【請求項７】
請求項１ないし６のいずれか一項に記載の第一無線ノード（３００）であって、前記第一無線ノードは無線デバイスまたはネットワークノードである、第一無線ノード。
【請求項８】
直交周波数分割多重（ＯＦＤＭ）の第一無線ノードにおける方法（４００）であって、前記方法は、
第一動作モードにおいて、ｑ≧１の整数を用いた第一サブキャリア間隔ｆ１＝２−ｑ×１５ｋＨｚで、プリフィックス処理されたＯＦＤＭシンボルの第一シーケンスを送信すること（Ｓ４１０）と、
第二動作モードにおいて、第二サブキャリア間隔ｆ２＝１５ｋＨｚで、プリフィックス処理されたＯＦＤＭシンボルの第二シーケンスを送信すること（Ｓ４２０）と、
を有し、
０．５ｍｓの期間ごとに、前記第二シーケンスにおける一番目のプリフィックス処理されたＯＦＤＭシンボルは、いずれの残りのプリフィックス処理された一つ以上のＯＦＤＭシンボルよりも長いプリフィックスを有しており、当該残りのプリフィックス処理された一つ以上のＯＦＤＭシンボルは同一の長さのプリフィックスを有しており、
前記第一および第二動作モードの両方に対して共通に、前記送信されるＯＦＤＭシンボルのシーケンスは予め定義された繰り返し無線フレーム、または、前記予め定義された繰り返し無線フレームの整数倍と整合しており、
前記第一動作モードにおいて送信されるいずれのプリフィックス処理されたＯＦＤＭシンボルのトータル期間も、前記第二動作モードにおいて連続して送信される整数個のプリフィックス処理されたＯＦＤＭシンボルのトータル期間と等しい、方法。
【請求項９】
直交周波数分割多重（ＯＦＤＭ）のために構成された第二無線ノード（５００）であって、受信機（５１０）と、送信機（５２０）と、プロセッサ（５３０）と、前記受信機（５１０）に、
第一動作モードにおいて、ｑ≧１の整数を用いた第一サブキャリア間隔ｆ１＝２−ｑ×１５ｋＨｚで、第一無線ノードからプリフィックス処理されたＯＦＤＭシンボルの第一シーケンスを受信させ、
第二動作モードにおいて、第二サブキャリア間隔ｆ２＝１５ｋＨｚで、第一無線ノードからプリフィックス処理されたＯＦＤＭシンボルの第二シーケンスを受信させる、前記プロセッサ（５３０）によって実行可能なインストラクションを記憶したメモリ（５４０）とを有し、
前記受信機（５１０）は、
０．５ｍｓの期間ごとに、前記第二シーケンスにおける一番目のプリフィックス処理されたＯＦＤＭシンボルは、いずれの残りのプリフィックス処理された一つ以上のＯＦＤＭシンボルよりも長いプリフィックスを有しており、当該残りのプリフィックス処理された一つ以上のＯＦＤＭシンボルは同一の長さのプリフィックスを有しており、
前記第一および第二動作モードの両方に対して共通に、予め定義された繰り返し無線フレーム、または、前記予め定義された繰り返し無線フレームの整数倍と公称上は整合しているもの
と仮定し、
前記第一動作モードにおいて受信されるいずれのプリフィックス処理されたＯＦＤＭシンボルのトータル期間も、前記第二動作モードにおいて連続して受信される整数個のプリフィックス処理されたＯＦＤＭシンボルのトータル期間と等しいとさらに仮定して、
前記受信されるＯＦＤＭシンボルのシーケンスを受信する、第二無線ノード。
【請求項１０】
請求項９に記載の第二無線ノード（５００）であって、前記第一動作モードにおいて受信される一つのプリフィックス処理されたＯＦＤＭシンボルのトータル期間は、前記第二動作モードにおいて受信される整数個の対応するプリフィックス処理されたＯＦＤＭシンボルのトータル期間と等しい、第二無線ノード。
【請求項１１】
請求項９または１０に記載の第二無線ノード（５００）であって、前記第一動作モードにおいて受信される前記いずれかのプリフィックス処理されたＯＦＤＭシンボルの始まりと終わりは、前記第二動作モードにおいて受信される整数個のプリフィックス処理されたＯＦＤＭシンボルのシーケンスの始まりと終わりとに整合している、第二無線ノード。
【請求項１２】
請求項９ないし１１のいずれか一項に記載の第二無線ノード（５００）であって、前記第一動作モードにおける一つのプリフィックス処理されていないＯＦＤＭシンボルのトータル期間ｔ１は、前記第二動作モードにおける一つのプリフィックス処理されていないＯＦＤＭシンボルのトータル期間ｔ２の整数倍であり、
前記メモリ（５４０）は、さらに、前記第一動作モードにおいて送信される少なくともいくつかのＯＦＤＭシンボルの境界と前記第二動作モードにおいて送信される少なくともいくつかのＯＦＤＭシンボルの境界とが整合するような手法でもって、前記受信されるＯＦＤＭシンボルが公称上はプリフィックス処理されているものとして、前記プロセッサ（５３０）によって実行可能なインストラクションを記憶している、第二無線ノード。
【請求項１３】
請求項１２に記載の第二無線ノード（５００）であって、境界の整合処理は、少なくとも、前記予め定義された繰り返し無線フレームが繰り返すたびに、発生する、第二無線ノード。
【請求項１４】
請求項９ないし１３のいずれか一項に記載の第二無線ノード（５００）であって、前記予め定義された繰り返し無線フレームに関して、前記第一動作モードで送信されるシンボルのフレームで最初でない境界は、公称上、前記第二動作モードで送信されるシンボルのフレームで最初でない境界と整合している、第二無線ノード。
【請求項１５】
請求項９ないし１４のいずれか一項に記載の第二無線ノード（５００）であって、前記第二無線ノードは無線デバイスまたはネットワークノードである、第二無線ノード。
【請求項１６】
直交周波数分割多重（ＯＦＤＭ）の第二無線ノードにおける方法（６００）であって、前記方法は、
第一動作モードにおいて、ｑ≧１の整数を用いた第一サブキャリア間隔ｆ１＝２−ｑ×１５ｋＨｚで、第一無線ノードからプリフィックス処理されたＯＦＤＭシンボルの第一シーケンスを受信すること（Ｓ６１０）と、
第二動作モードにおいて、第二サブキャリア間隔ｆ２＝１５ｋＨｚで、第一無線ノードからプリフィックス処理されたＯＦＤＭシンボルの第二シーケンスを受信すること（Ｓ６２０）と、
を有し、
前記受信することは、
０．５ｍｓの期間ごとに、前記第二シーケンスにおける一番目のプリフィックス処理されたＯＦＤＭシンボルは、いずれの残りのプリフィックス処理された一つ以上のＯＦＤＭシンボルよりも長いプリフィックスを有しており、当該残りのプリフィックス処理された一つ以上のＯＦＤＭシンボルは同一の長さのプリフィックスを有しており、
前記受信されるＯＦＤＭシンボルのシーケンスは、前記第一および第二動作モードの両方に対して共通に、予め定義された繰り返し無線フレーム、または、前記予め定義された繰り返し無線フレームの整数倍と公称上は整合しているもの
と仮定することを有し、
前記第一動作モードにおいて受信されるいずれのプリフィックス処理されたＯＦＤＭシンボルのトータル期間も、前記第二動作モードにおいて連続して受信される整数個のプリフィックス処理されたＯＦＤＭシンボルのトータル期間と等しいものとさらに仮定する、方法。
【請求項１７】
請求項８または１６に記載された前記方法をプログラマブルプロセッサに実行させるためのコンピュータ可読インストラクションを有したコンピュータプログラム（７１０）。
【国際調査報告】
2019522918.tif 000012
2019522918.tif 000013